(57)【要約】【課題】台座３と竿部５とからなる位牌１において、内部に遺灰などが収納できる収納部を有し、耐熱性があり、しかも収納部を覆う別体の蓋を必要とせずに、コストを抑えられるものを提供することを目的とする。【解決手段】台座３の上面に形成される短円筒状の嵌合凹部７に、円柱状の石材製の竿部５が嵌合して固定される。嵌合凹部の中央には収納凹部９が形成される。嵌合凹部の底部内周に固定された第一金具１１には周方向にテーパー状となった係合孔１５が形成される。竿部の底部に固定された第二金具１３には、係合突起２７が形成され、係合孔に挿入され周方向に移動されることで係合する。この係合突起には、先端に抜け止め用の拡大部を有する。【選択図】図１
2004033595.tif 000002
【特許請求の範囲】
【請求項１】
不燃性または難燃性の台座と、この台座の上面に係合される不燃性または難燃性の竿部と、前記係合した竿部に覆われる位置で台座に形成される収納凹部と、前記収納凹部の縁部に固定された第一金具と、前記竿部の底部に固定された第二金具と、前記第一金具に形成され周方向にまたは直線方向にテーパー状となった係合孔と、前記第二金具に形成され前記テーパー状になった係合孔に挿入され前記周方向にまたは直線方向に移動されることで係合し先端に抜け止め用の拡大部を有する係合突起と、を有することを特徴とする位牌。
【請求項２】
前記台座と竿部の不燃性または難燃性は、この台座と竿部を、石材製、金属製、ガラス製、またはセラミックス製とすることで達成されることを特徴とする請求項１に記載の位牌。
【請求項３】
石材製の台座と、この台座の上面に形成される短円筒状の嵌合凹部と、この嵌合凹部に嵌合して固定される円柱状の石材製の竿部と、前記嵌合凹部の中央に形成される収納凹部と、前記嵌合凹部の底部内周に固定された第一金具と、前記竿部の底部に固定された第二金具と、前記第一金具に形成され周方向にテーパー状となった係合孔と、前記第二金具に形成されて、前記テーパー状になった係合孔に挿入され前記周方向に移動されることで係合し先端に抜け止め用の拡大部を有する係合突起と、を有することを特徴とする位牌。
【請求項４】
前記第一金具は、全体が前記周方向にまたは直線方向に長い帯状となっており、前記テーパー状になった係合孔は、太い後端部と細い先端部がともに円弧状で全体がだるま形状になっており、前記係合突起は、円柱状の本体部と円柱状の拡大部とを有し、この拡大部は前記係合孔の太い後端部の円弧状のみを通過できる径を有し、本体部は細い先端部の円弧状に嵌合する径を有し、この係合孔の先端部には前記帯状の縁に向かって切り込みが形成されて、切り込み後方部分が係合孔に押し込まれて変位し、前記係合した係合突起の本体部に接触する位置にあり、切り込み後方部分のこの接触部分は、丸くなっていることを特徴とする請求項１、２、または３に記載の位牌。
【発明の詳細な説明】
【０００１】
【発明の属する技術分野】
この発明は、耐火性の高い位牌の構造に関する。
【０００２】
【従来の技術】
耐火性の高い位牌としては、既に、特開平１１−３４６９０８に開示された位牌が存在する。この位牌は、台部（台座に相当）と表示部（竿部に相当）がセラミックスなどで一体的に形成され、内部の収納部に耐熱性の容器を固定し蓋で閉じるものである。
【０００３】
【発明が解決しようとする課題】
しかしながら、このような従来の位牌は、別体の蓋が必要であり、その分だけ部品が増え、構造が複雑になるものであった。また、その蓋の開閉部分から火が内部に入らないように構造に注意する必要があり、よって蓋に十分な精度を持たせる必要があった。これらのために、位牌のコストが高くなる恐れがあった。
【０００４】
この発明は、以上の課題を解決するためになされたもので、蓋を必要とせずにコストを抑えられる耐火性の高い位牌を提供することを目的とする。
【０００５】
【課題を解決するための手段】
以上の課題を解決するために、第一の発明は、不燃性または難燃性の台座と、この台座の上面に係合される不燃性または難燃性の竿部と、前記係合した竿部に覆われる位置で台座に形成される収納凹部と、前記収納凹部の縁部に固定された第一金具と、前記竿部の底部に固定された第二金具と、前記第一金具に形成され周方向にまたは直線方向にテーパー状となった係合孔と、前記第二金具に形成され前記テーパー状になった係合孔に挿入され前記周方向にまたは直線方向に移動されることで係合し先端に抜け止め用の拡大部を有する係合突起と、を有することを特徴とする位牌である。
【０００６】
第二発明は、さらに、前記台座と竿部の不燃性または難燃性は、この台座と竿部を、石材製、金属製、ガラス製、またはセラミックス製とすることで達成されることを特徴とする位牌である。
【０００７】
第三発明は、石材製の台座と、この台座の上面に形成される短円筒状の嵌合凹部と、この嵌合凹部に嵌合して固定される円柱状の石材製の竿部と、前記嵌合凹部の中央に形成される収納凹部と、前記嵌合凹部の底部内周に固定された第一金具と、前記竿部の底部に固定された第二金具と、前記第一金具に形成され周方向にテーパー状となった係合孔と、前記第二金具に形成されて、前記テーパー状になった係合孔に挿入され前記周方向に移動されることで係合し先端に抜け止め用の拡大部を有する係合突起と、を有することを特徴とする位牌である。
【０００８】
第四発明は、さらに、前記第一金具は、全体が前記周方向にまたは直線方向に長い帯状となっており、前記テーパー状になった係合孔は、太い後端部と細い先端部がともに円弧状で全体がだるま形状になっており、前記係合突起は、円柱状の本体部と円柱状の拡大部とを有し、この拡大部は前記係合孔の太い後端部の円弧状のみを通過できる径を有し、本体部は細い先端部の円弧状に嵌合する径を有し、この係合孔の先端部には前記帯状の縁に向かって切り込みが形成されて、切り込み後方部分が係合孔に押し込まれて変位し、前記係合した係合突起の本体部に接触する位置にあり、切り込み後方部分のこの接触部分は、丸くなっていることを特徴とする位牌である。
【０００９】
【発明の実施の形態】
この発明の実施の形態を、図１〜図６に示す。
図２に示すように、この実施形態の位牌１は、石材製の台座３と竿部５とからなる。全体の高さは、約２０ｃｍである。竿部５の表面には戒名などの文字６が彫刻され、背面には俗名や没年月日などが彫刻される。彫刻された文字の内部は漆を入れることもできる。また、表面（地の面）には金メッキをすることも可能である。
【００１０】
図１に示すように、台座３の上面には、短円筒状の嵌合凹部７が形成される。竿部５は、円柱状をなし、下端がこの嵌合凹部７に嵌合し、水平方向に固定される。また、嵌合凹部７の中央には、小さな短円筒状の深い収納凹部９が形成され、小さな遺品や遺髪、さらには分骨された骨片などが収納できる。
【００１１】
図１〜図６に示すように、台座３に対し竿部５は、第一金具１１と第二金具１３が係合することで、着脱自在に係合する。
すなわち、台座３の嵌合凹部７の底部内周に沿って、略帯状で略リング状の第一金具１１が固定される。竿部５の底部には、半径方向に長い第二金具１３が固定される。
【００１２】
このうち、第一金具１１には、略リング状の周方向にテーパー状となった係合孔１５が、円周方向の２箇所に等間隔で形成される。
図４（Ａ）、図６に示すように、各係合孔１５は、テーパー形状により生じる太い後端部１７と細い先端部１９が、ともに円弧状となっており、これにより全体がだるま形状になっている。図６に示すように、係合孔１５の先端部１９には、金具１１の帯状の外の縁に向かって、切り込み２１が形成される。そして、切り込み後方部分２３が舌片２５となり、係合孔１５に向かって押し込まれて加工され、係合孔１５内部へ向かってわずかに突出した状態に変位している。この舌片２５の先端は、後述する係合突起２７の本体部２９に接触する位置にあり、この接触部分３１は、研磨されて丸くなっている。
【００１３】
また、図３、図５（Ｂ）に示すように、第二金具１３の下面両端には係合突起２７が形成され、係合孔１５に挿入され周方向に移動されることで係合する。係合突起２７の本体部２９先端には、抜け止め用の拡大部３３を有する。
すなわち、各係合突起２７は、円柱状の本体部２９と、先端の円柱状の拡大部３３とを同軸上に有する。このうち、本体部２９の長さは、係合孔１５が形成される第一金具１１の厚さに対応する（図２、図３（Ｂ）参照）。また、本体部２９の径は、係合孔１５の細い先端部１９の円弧状に嵌合する大きさを有する。拡大部３３の径は、係合孔１５の太い後端部１７の円弧状のみを通過できる大きさを有する（図６参照）。
【００１４】
図５に示すように、係合突起２７の上方は雄ネジ３４になっており、第二金具本体３５の貫通孔３７を通ってナット３９に螺合して固定される。
また図４（Ｂ）に示すように、リング状の第一金具１１には、台座３の嵌合凹部７の底部内周に固定されるための脚部４１が設けられる。脚部４１の上方は雄ネジ４３になっており、第一金具本体４５のネジ孔４７に螺合されて固定される。そして、嵌合凹部７の底部内周には、この脚部４１を埋めるための脚穴４９（図２参照）、および係合孔１５の下で係合突起２７の動きを可能にする突起穴（図示せず）が形成される。第一金具１１は、脚部４１が脚穴４９に入れられた状態で接着材で固定される。
【００１５】
また、図５に示すように、第二金具１３は上面中央に、固定のためのアーム５１が設けられる。すなわち、長いボルト５３の途中に位置決めのためのナット５５が取り付けられた状態で、第二金具本体３５の中央に形成されたネジ孔５７に螺合して固定される。そして図１（Ｃ）に示すように、竿部５の底部には、固定のための溝５９が形成され、溝５９の中央には、アームが埋められるアーム穴６１（図２参照）が設けられる。第二金具１３は、アーム５１がアーム穴６１に入れられた状態で溝５９に嵌合され、接着材で固定され、竿部５底部の面６３と第二金具１３の底面６５は同一面になる。
【００１６】
（実施形態の作用効果）
以上の実施形態によれば、台座３に対し竿部５を嵌合し係合するには、台座３の嵌合凹部７に竿部５の下端を嵌合する際に、台座３の第一金具１１の二つの係合孔１５に対し、そのだるま形状の太い後端部１７（図６参照）へ、竿部５の第二金具１３に形成された二つの係合突起２７の拡大部３３（図５（Ｂ）参照）を挿入する。
【００１７】
そして、竿部５を軸回りに図１（Ａ）右回り（図中の矢印と反対方向）へ回動するように移動させる。この移動に伴い、係合突起２７が周方向へ図３（Ａ）右回り（図中の矢印と反対方向）へ、すなわち係合孔１５のだるま形状の先端部１９へ向かって移動する。このとき、係合突起２７の本体部２９は、切り込み後方部分２３である舌片２５を押し退ける方向（図６左方向（図中の矢印と反対方向）へ移動する。
【００１８】
その後、係合突起２７の本体部２９は、係合孔１５の細い先端部１９の円弧状に嵌合することでガタが無く、水平方向にピッタリとした係合状態になる（図６実線部分参照）。
また、係合突起２７の先端の拡大部３３により抜け止めが図られる。このとき本体部２９の長さは、係合孔１５が形成される第一金具１１の厚さに対応するので、上下方向にピッタリとした係合状態になる。
【００１９】
また、切り込み後方部分２３である舌片２５が、係合した状態の係合突起２７の本体部２９に後方から接触するので、この接触により係合状態を、舌片２５の弾性により節度を持って強固に維持できる。
さらに、台座３の嵌合凹部７に、竿部５がピッタリと嵌合することで、第一および第二の金具１１、１３による係合をさらに補助することができ、しっかりした係合が可能になる。
【００２０】
このようにして、台座３と竿部５のしっかりとした係止固定がおこなわれた状態で、台座３の納凹部９は、竿部５の底部により、しっかりと覆われるので、従来のような別体の蓋を設ける必要が無い。よって、コストを抑えられる耐火性の高い位牌を提供できる。
次に、台座３から竿部５の係合を解放するには、竿部５を軸回り反対方向（図１（Ａ）、図３（Ａ）、図６の矢印方向）へ回動するように移動させる。この移動に伴い、係合突起２７が周方向の反対方向へ、すなわち係合孔１５のだるま形状の後端部１７に向かって移動する。このとき、係合突起２７の本体部２９は、切り込み後方部分２３である舌片２５に接触するが、舌片２５の接触部分３１が丸くなっていることから、スムーズに舌片２５を押し退けることができ、係合する際に竿部５を回動する力よりも大きな回動力が必要ではあるものの、円滑に係合を解放できる。
【００２１】
（他の実施形態）
以上の実施形態においては、係合孔１５と係合突起２７は各々二つ設けられたが、他の実施形態においては、各々三つ以上設けることも可能である。
また、以上の実施形態においては、台座３と竿部５の不燃性または難燃性を、石材製とすることで達成したが、他の実施形態においては、金属製、ガラス製、またはセラミックス製とすることで達成される。
【００２２】
また、以上の実施形態においては、第一金具１１はリング状であり係合孔１５は周方向にテーパー状となっており、竿部５を回動移動することで、竿部５の係合突起２７が係合孔１５に係合するものであったが、他の実施形態においては、第一金具を例えば二条の直線状のものとし、係合孔は直線方向にテーパー状とし、竿部を直線移動することで、竿部の係合突起が係合孔に係合するものとできる。竿部が四角形断面の時には、このような直線的な係合方式がデザイン上マッチすると考えられる。
【００２３】
【発明の効果】
以上説明したように、第一、第二、または第三の発明によれば、　台座の第一金具に形成され周方向にまたは直線方向にテーパー状となった係合孔に対し、竿部の第二金具に形成された係合突起が挿入され、竿部の移動に伴い前記方向に移動されることで係合する。また、係合突起の先端の抜け止め拡大部により抜け止めが図られる。よって、台座と竿部のしっかりとした係止がおこなわれる。この状態で、台座の納凹部は、竿部の底部により、しっかりと覆われるので、従来のような別体の蓋は必要が無い。よって、コストを抑えられる耐火性の高い位牌を提供できる。
【００２４】
また、第三の発明によれば、さらに、石材製の台座の上面に形成される短円筒状の嵌合凹部に、石材製の円柱状の石材製の竿部が嵌合することで、前記第一および第二の金具による係合をさらに補助することができ、しっかりした係合が可能になる。
【００２５】
また、第四の発明によれば、さらに、突起部の本体部は細い先端部の円弧状に嵌合する径を有することで、係合状態にガタが無くピッタリとおこなわれる。また、変位した切り込み後方部分が、係合した係合突起の本体部に接触する位置にあるので、この接触により係合状態を強固に維持できる。さらに、切り込み後方部分の接触部分が、丸くなっていることから、竿部を前記移動とは逆方向へ移動することに伴い、係合突起が逆方向に移動することで、前記係合がスムーズに解除される。
【図面の簡単な説明】
【図１】この発明の一実施形態に係る位牌の着脱機能を説明する図であり
（Ａ）は全体斜視図
（Ｂ）は台座から竿部を取り外した状態を示す図
（Ｃ）は取り外した竿部の底部を示す斜視図である。
【図２】図１の位牌の正面図である。
【図３】図１の着脱機能を可能にする金具の働きを示す斜視図であり
（Ａ）は金具の係合状態を示す図
（Ｂ）は金具の係合が解放された状態を示す図
（Ｃ）は金具が離れた状態を示す図である。
【図４】図３の金具のうちの第一金具を示す図であり
（Ａ）は平面図
（Ｂ）は縦断面図である。
【図５】図３の金具のうちの第二金具を示す図であり
（Ａ）は平面図
（Ｂ）は縦断面図である。
【図６】図４の第一金具の係合孔の機能を説明する拡大図である。
【符号の説明】
１　位牌
３　台座
５　竿部
６　文字
７　嵌合凹部
９　収納凹部
１１　第一金具
１３　第二金具
１５　係合孔
１７　後端部
１９　先端部
２１　切り込み
２３　切り込み後方部分
２５　舌片
２７　係合突起
２９　本体部
３１　接触部分
３３　拡大部
３４　雄ネジ
３５　第二金具本体
３７　貫通孔
３９　ナット
４１　脚部
４３　雄ネジ
４５　第一金具本体
４７　ネジ孔
４９　脚穴
５１　アーム
５３　ボルト
５５　ナット
５７　ネジ孔
５９　溝
６１　アーム穴
６３　竿部底部の面
６５　第二金具の底面
【図１】
2004033595.tif 000003
【図２】
2004033595.tif 000004
【図３】
2004033595.tif 000005
【図４】
2004033595.tif 000006
【図５】
2004033595.tif 000007
【図６】
2004033595.tif 000008